(57)【要約】【課題】支柱周辺における一定の場所での各種のケーブル類の一括した管理が可能となり、しかも支柱周辺の見栄えを損なうことが無いようにする。【解決手段】配設した支柱Ｐ面にこの支柱Ｐの高さ方向に沿って配線固定すべくケーブル類Ｃを収納保護する自在管Ｆ、立上り管部材１によって配線管路を形成する。このとき、地中に埋設した複数の自在管Ｆそれぞれから支柱Ｐに対応して地上に引き出した電力用、通信用等の各種ケーブル類Ｃを支柱Ｐ面に沿って布設した１本の立上り管部材１によって集約して配線固定する。各種ケーブル類Ｃは、立上り配線管路を形成すべく支柱Ｐ面に固定した配線保護用の立上り管部材１に対し、自在管Ｆである個々の複数の金属製可撓管を纏めて接続可能とする継手手段Ｑを介してそれぞれ配線収容する。【選択図】          図１
2004236434.tif 000002
【特許請求の範囲】
【請求項１】
配設された支柱面にこの支柱の高さ方向に沿って配線固定されるケーブル類を収納保護する配線管路を形成するものであって、地中に埋設された複数の自在管それぞれから支柱に対応して地上に引き出される電力用、通信用等の各種ケーブル類を集約一体化して支柱面に沿って配線固定すべく成すことを特徴としたケーブル類の立上り配線保護方法。
【請求項２】
各種ケーブル類は、立上り配線管路を形成すべく支柱面に固定された配線保護用の立上り管部材に対し、自在管である個々の複数の金属製可撓管を纏めて接続可能とする継手手段を介してそれぞれ配線されるものとした請求項１記載のケーブル類の立上り配線保護方法。
【請求項３】
自在管は、当該自在管にねじ込み嵌着される筒状のブッシングを介して継手手段に接続固定されるものとした請求項１または２記載のケーブル類の立上り配線保護方法。
【請求項４】
配設された支柱面にこの支柱の高さ方向に沿って配線固定されるケーブル類を収納保護する配線管路を形成するものであって、支柱に対応して地上に引き出される電力用、通信用等の各種ケーブル類がそれぞれ挿通されている複数の自在管を筒状のブッシングを介してそれぞれ接続可能とする継手手段と、立上り配線管路を形成すべく支柱面に固定され、各種ケーブル類を集約一体化して支柱面に沿って配線固定すべく前記継手手段を接続可能とした立上り管部材とを備えて成ることを特徴とするケーブル類の立上り配線保護管路装置。
【請求項５】
継手手段は、立上り管部材の下端開口部内に嵌挿される上側円筒部、上側円筒部から下方に行くに従って周面一端側を径方向へ膨出して略ラッパ状に拡開して成る下側円筒部それぞれから成るカバー体と、屈曲自在な複数の自在管それぞれを個別に連通配置させ、前記ブッシングのねじ込みによって当該自在管を固定可能にした複数の孔部を開穿形成し且つカバー体の下端開口部に閉塞固定されるものとした蓋部とから成る請求項４記載のケーブル類の立上り配線保護管路装置。
【発明の詳細な説明】
【０００１】
【発明の属する技術分野】
本発明は、電力用、通信用、その他の動力用等の各種のケーブル類を、例えば需要家に対応して配設されているコンクリート柱等の支柱に地中から立ち上げて配線する場合に、これら各種のケーブル類を纏めて収容している金属製可撓管の如き複数の自在管を一本化して集約した状態で保護収容できるようにしたケーブル類の立上り配線保護方法と立上り配線保護管路装置に関するものである。
【０００２】
【従来の技術】
従来、電力用、通信用等の各種のケーブル類を地中管路から地上に立ち上げて配線する場合、その立ち上げ位置で立設してある例えばコンクリート材製の支柱側面に配設した例えば鋼管製の立上り管部材内に挿通することでケーブル類を保護している。すなわ地中管路に接続した例えば金属製の可撓管等の自在管路を経て支柱面に固定バンドにて固定された立上り管部材内に挿通してケーブル類を立ち上げ配線した後、需要家毎に分岐配線したり、所定の需要家の各種施設内に引き入れたりしているのである。このとき立上り管部材は、電力用、通信用等の各種のケーブル類の立ち上げ位置に対応してそれぞれ個別に支柱側面に配設され、個々の自在管毎に対応した各別の専用の立上り管部材それぞれを経て配線される構成となっている。そして電力業者、通信業者等によるケーブル類のメンテナンス時には、電力業者、通信業者等がこれら電力用、通信用等の各種のケーブル類に対応した立上り管部材毎にメンテナンス作業を行うのであった。
【０００３】
【発明が解決しようとする課題】
しかしながらこのような従来におけるケーブル類の立上り配線保護管路装置では、立上り管部材は、電力用、通信用等の各種のケーブル類の立ち上げ位置に対応してそれぞれ個別に支柱側面に配設されるため、支柱の周囲で複数で布設されたものとなり、支柱周辺の見栄えが悪くなる。しかも見栄えを良好なものとするために、１本の支柱に対し１本の立上り管部材のみを布設する場合に、例えば後日に同じ需要家に配線数を増加する必要が生じたときに同一の支柱に他の立上り管部材を増加して布設することは不都合であるから、需要家に近接する従来の支柱とは離れた場所にある他の支柱に立上り管部材を布設して配線収容することになり、そうすると各種のケーブル類を余分な長さで引き回すことになり、極めて無駄なものである。またケーブル類のメンテナンス時には、電力業者、通信業者等がこれら電力用、通信用等の各種のケーブル類の立ち上げ位置に対応してそれぞれ個別に支柱側面に配設されている立上り管部材毎にメンテナンス作業を行うため、支柱周辺における一定の場所での各種のケーブル類の一括した管理が困難なものとなるのである。
【０００４】
そこで本発明は叙上のような従来存した諸事情に鑑み創出されたもので、例えば需要家に対応して配線される複数の各種のケーブル類それぞれを収容している複数の自在管を一本化して１本の立上り管部材に集約して収納配線できるものとし、配設されている支柱周辺における一定の場所での各種の複数のケーブル類の一括して集約化した管理が可能となり、しかも支柱周辺の見栄えも損なうことが無いようにしたケーブル類の立上り配線保護方法と立上り配線保護管路装置を提供することを目的とする。
【０００５】
【課題を解決するための手段】
上述した課題を解決するため、本発明に係るケーブル類Ｃの立上り配線保護方法にあっては、配設された支柱Ｐ面にこの支柱Ｐの高さ方向に沿って配線固定されるケーブル類Ｃを収納保護する配線管路を形成するものであって、地中に埋設された複数の自在管Ｆそれぞれから支柱Ｐに対応して地上に引き出される電力用、通信用等の各種ケーブル類Ｃを集約して支柱Ｐ面に沿って配線固定すべく成すものである。
各種ケーブル類Ｃは、立上り配線管路を形成すべく支柱Ｐ面に固定された配線保護用の立上り管部材１に対し、自在管Ｆである個々の複数の金属製可撓管を纏めて接続可能とする継手手段Ｑを介してそれぞれ配線されるものとできる。
自在管Ｆは、当該自在管Ｆにねじ込み嵌着される筒状のブッシング７を介して継手手段Ｑに接続固定されるものとできる。
また、本発明に係るケーブル類Ｃの立上り配線保護管路装置にあっては、配設された支柱Ｐ面にこの支柱Ｐの高さ方向に沿って配線固定されるケーブル類Ｃを収納保護する配線管路を形成するものであって、支柱Ｐに対応して地上に引き出される電力用、通信用等の各種ケーブル類Ｃがそれぞれ挿通されている複数の自在管Ｆを筒状のブッシング７を介してそれぞれ接続可能とする継手手段Ｑと、立上り配線管路を形成すべく支柱Ｐ面に固定され、各種ケーブル類Ｃを集約して支柱Ｐ面に沿って配設固定すべく前記継手手段Ｑを接続可能とした立上り管部材１とを備えて成るものとできる。
また継手手段Ｑは、立上り管部材１の下端開口部内に嵌挿される上側円筒部４Ａ、上側円筒部４Ａから下方に行くに従って周面一端側を径方向へ膨出して略ラッパ状に拡開して成る下側円筒部４Ｂそれぞれから成るカバー体４と、屈曲自在な複数の自在管Ｆそれぞれを個別に連通配置させ、前記ブッシング７のねじ込みによって当該自在管Ｆを固定可能にした複数の孔部５Ａを開穿形成し且つカバー体４の下端開口部に閉塞固定されるものとした蓋部５とから成るものとできる。
【０００６】
以上のように構成された本発明に係るケーブル類Ｃの立上り配線保護方法において、地上に引き出される電力用、通信用等の各種ケーブル類Ｃを集約して支柱Ｐ面に沿って配線固定すべく成すことによって、支柱Ｐ周辺における一定の場所での各種のケーブル類の一括した管理を可能にさせる。
また、ケーブル類Ｃの立上り配線保護管路装置にあっては、継手手段Ｑは、支柱Ｐ面に固定された配線保護用の立上り管部材１に対し、自在管Ｆである個々の複数の金属製可撓管を纏めて接続可能とさせ、これによってケーブル類Ｃの配線施工法における複数のケーブル類Ｃの収容部材管としての一本の立上り管部材１への集約化に十分に対応可能にさせる。
このときの継手手段Ｑにおける下側円筒部４Ｂに対する蓋部５の閉塞固定に際し、自在管Ｆの一端開口部側を蓋部５の孔部５Ａ一方側に連通状態に係合させておくかあるいは挿入させておくかしてから孔部５Ａの反対側からブッシング７を自在管Ｆの螺旋状の内周溝面にねじ込ませて蓋部５に自在管Ｆを固定させ、カバー体４の下側円筒部４Ｂに蓋部５が固定されることによって、立上り管部材１に対する継手手段Ｑを介しての各種ケーブル類Ｃの集約された配線作業を能率的に行わせる。
さらに自在管Ｆにねじ込み嵌着される筒状のブッシング７は、継手手段Ｑに対しての自在管Ｆの取り付けを容易にさせ、しかも継手手段Ｑからの自在管Ｆの抜け出しを阻止させる。
【０００７】
【発明の実施の形態】
以下図面を参照して本発明の実施の形態を説明すると、図において示される符号Ｐは、例えば地中管路から需要家における電力、通信、その他の動力等の必要箇所にケーブル類Ｃを引き入れるために立ち上げ位置に立脚される例えばコンクリート材製の支柱である。そしてこの支柱Ｐに固着される例えば鋼材にて形成された立上り管部材１等によって配線管路が形成されて、立ち上げられる複数のケーブル類Ｃそれぞれを収容している例えば３本の自在管Ｆが後述する継手手段Ｑによって集約された状態となることで１本の立上り管部材１内に連通され、各種のケーブル類Ｃが纏めて保護されるようになっている。尚、本実施の形態では、立上り管部材１により電力、通信、その他の動力等の各種のケーブル類Ｃを保護するものとしているが、これに限らず４本もしくは４本以上の自在管Ｆに対応できるように継手手段Ｑ自体を変更しても良いことは勿論である。
【０００８】
図１に示すように立上り管部材１は、支柱Ｐを囲繞する固定バンド２を上下方向で適宜間隔を隔てて締め付けることにより当該支柱Ｐに固定するようにしてある。この固定バンド２自体は従来から使用されている公知のものであり、バンド本体に開穿されている複数の透孔のいずれかに係合する係合部をネジ止めすることで牽引した締め付け状態で支柱Ｐを囲繞するものである。
【０００９】
立上り管部材１は断面で略円形を呈し、全体として筒状となる配線管路を形成するものであり、この立上り管部材１自体は立ち上がり状に挿通支持させる各種多数のケーブル類Ｃの配線量を収納するに十分な内径スペースを有し、図例にあっては断面で略円形を呈するものとしてあるもこれに限定されるものではなく、例えば三角形、矩形、楕円形等の任意の形状に形成することもできる。
【００１０】
さらに支柱Ｐに固定された立上り管部材１によって形成された配線管路の上部開口を閉塞施蓋する防水キャップ３が当該立上り管部材１上端に着脱自在に取り付けられるようになっている。この防水キャップ３は立上り管部材１の上端に嵌め合わせる嵌合部３Ａと上端に至るに伴ない次第に窄まっている錐体状の蓋部３Ｂとを一体に連設して成り、例えば軟質性合成樹脂、軟質ゴム等にて形成されている。嵌合部３Ａは前述の配線管路の断面形状に対応した断面形状、例えば平面で円形状の外郭形状のものとされ、立上り管部材１上端縁を嵌め入れる平面で溝形状の立上り管部材１用の溝部分が一連に連続しているループ状の嵌入溝３Ｃが底面に形成されている。また蓋部３Ｂ自体は配線管路内から外出される配線量に対応して切断開口径が選択できるように、異なる開口径に対応した複数の段部を有する段状に形成されており、適当な段部位置でカッター具等で切断開口されるものとしてある。
【００１１】
また各種ケーブル類Ｃは、立上り配線管路を形成すべく支柱Ｐ面に固定された配線保護用の立上り管部材１に対し、電力用、通信用等の各種のケーブル類Ｃに対応してそれぞれ異なる個々の複数の金属製可撓管の如き自在管Ｆを纏めて接続可能とする継手手段Ｑを介してそれぞれ集約された状態となって収容配線されるものとしてある。すなわち地中管路である自在管Ｆからのケーブル類Ｃを立ち上げて配線管路である立上り管部材１内に引き入れるとき、地中管路を形成している屈曲自在な自在管Ｆとしての例えば金属製の複数の可撓管と接続するための継手手段Ｑが、立上り管部材１と自在管Ｆとの間に介在されるものとしてある。これら自在管Ｆは、特殊部である例えば配線メンテナンス用もしくは配線増設用等のマンホール、ハンドホール等側から延長され、例えば地面Ｇから６００ｍｍの深さに埋設されている埋設導管１０に対し異種管継手１１を介してそれぞれの一端側が接続され、それぞれの他端側が継手手段Ｑに接続すべく上方に向けて例えば長さ１．５ｍの長さにわたって湾曲された状態となって埋設されている。
【００１２】
具体的な継手手段Ｑの構成としては、図２に示すように、立上り管部材１の下端開口部内に嵌挿される上側円筒部４Ａ、この上側円筒部４Ａから下方に行くに従って周面一端側を径方向へ膨出して略ラッパ状に拡開して成る下側円筒部４Ｂそれぞれから成るカバー体４と、屈曲自在な複数の自在管Ｆそれぞれを個別に連通配置させるための複数の孔部５Ａを開穿形成し且つカバー体４の下端開口部を閉塞可能にした蓋部５とから成る。カバー体４の下側円筒部４Ｂの開口縁端部内周面の例えば３つの等間隔位置には、内径方向へ向けて３つのナット６が溶接等によって固着され、蓋部５の縁面部にはナット６位置に対向して３つのボルト挿入孔５Ｂが穿設されている。
【００１３】
下側円筒部４Ｂに対する蓋部５の閉塞固定に際し、自在管Ｆの一端開口部側を蓋部５の孔部５Ａの一方側に連通状態に係合させておくかあるいは挿入させておくかしてから、孔部５Ａの反対側から例えばベルマウス型等のブッシング７を自在管Ｆの螺旋状の内周溝面にねじ込ませて蓋部５に自在管Ｆを固定した後、蓋部５をカバー体４に被せてナット６位置に蓋部５のボルト挿入孔５Ｂを当接合致させてからボルト挿入孔５Ｂに取付ボルト８をねじ込むことでカバー体４の下側円筒部４Ｂに蓋部５が固定されるものとしてある。
【００１４】
尚、ブッシング７自体は、従来から使用されている公知のものであり、例えば自在管Ｆ内部に挿入される円筒体の一端開口側に、蓋部５の孔部５Ａよりも大径となって当該孔部５Ａ内周縁部に係止させるための係止用フランジ部７Ａを形成し、円筒体の他端開口縁端側に、自在管Ｆの螺旋状の内周溝面形状に対応すべくＵ字型の窪み部７Ｃを介して螺旋状に切欠され、且つ自在管Ｆの螺旋状の内周溝にねじ込み導入されるよう外径斜め方向に向けて折曲させて成る係合用雄ネジ部７Ｂを形成してある。
【００１５】
カバー体４の下側円筒部４Ｂの膨隆方向とは反対側であって上側円筒部４Ａに沿った略中間位置には、棒材を略コ字枠型にして把手状に形成して成る左右一対の固定バンド２挿通用の固定枠部９が溶接等によって固着されており、支柱Ｐを囲繞する固定バンド２を固定枠部９に挿通させてから固定バンド２自体を締め付けることで、カバー体４自体が支柱Ｐに固定されるようにしてある。
【００１６】
尚、本実施の形態に係るケーブル類Ｃの立上り配線保護管路装置は、その立ち上げ位置の変更に伴って支柱Ｐを移設するときには分解することで内部の各種のケーブル類Ｃを取り出し、移設した支柱Ｐ面に再び取付設置してケーブル類Ｃを収納できるようにしても良い。
【００１７】
次に以上のように構成された実施の形態についての使用、組立の一例を説明するに、図３に示すように、例えば需要家に対応して引き入れられる電力用、通信用、その他動力用等の各種のケーブル類Ｃを地中管路から立ち上げて支柱Ｐに布設する立上り管部材１によって保護支持するときの立ち上げ位置に相当して設けられる支柱Ｐ面に取付設置する。すなわち、各種ケーブル類Ｃを収納保護する配線管路とするとき、支柱Ｐ面に固定された立上り管部材１に対し、各種ケーブル類Ｃを各別に収容している複数の自在管Ｆである個々の金属製可撓管を纏めて接続可能とする継手手段Ｑを介して各種のケーブル類Ｃそれぞれを集約した状態で配線収容する。
【００１８】
このときの継手手段Ｑにおけるカバー体４の下側円筒部４Ｂに対する蓋部５の閉塞固定に際し、継手手段Ｑに接続すべく上方に向けて湾曲された状態となって埋設されている複数の自在管Ｆそれぞれの一端開口部側を蓋部５の孔部５Ａ一方側に連通状態に係合させておくかあるいは挿入させておくかする。次いで孔部５Ａの反対側からブッシング７の係合用雄ネジ部７Ｂを自在管Ｆの螺旋状の内周溝面にねじ込ませて係止用フランジ部７Ａを孔部５Ａ内周縁部に係止させることで蓋部５に自在管Ｆを固定する。そして蓋部５をカバー体４に被せてナット６位置に蓋部５のボルト挿入孔５Ｂを当接合致させ、ボルト挿入孔５Ｂに取付ボルト８をねじ込むことでカバー体４の下側円筒部４Ｂに蓋部５を固定する。
【００１９】
次にカバー体４の下側円筒部４Ｂ側を地中に埋め込んだ状態にして、支柱Ｐを囲繞する固定バンド２を固定枠部９に挿通してから固定バンド２自体を締め付けることで、カバー体４自体を支柱Ｐに固定する。そして継手手段Ｑにおけるカバー体４の上側円筒部４Ａを立上り管部材１の下端開口部内に嵌挿し、立上り管部材１自体内にケーブル類Ｃを挿通した状態にして、立上り管部材１を固定バンド２によって支柱Ｐ面に固定する。立上り管部材１の上端は配線量に対応して切断開口してケーブル類Ｃを貫挿させた防水キャップ３によって閉塞施蓋する。
【００２０】
【発明の効果】
本発明は以上のように構成されているために、支柱Ｐ周辺における一定の場所での各種のケーブル類Ｃの一括した管理が可能となり、しかも支柱Ｐ周辺の見栄えも損なうことが無く、また近年のケーブル類Ｃの配線施工法における各種のケーブル類Ｃを収容している複数の自在管Ｆの１本の立上り管部材１に対する一本化にも十分に対応できるものとなる。
【００２１】
すなわちこれは本発明が、配設された支柱Ｐ面にこの支柱Ｐの高さ方向に沿って配線固定されるケーブル類Ｃを収納保護する配線管路を形成するとき、地中に埋設された複数の自在管Ｆそれぞれから支柱Ｐに対応して地上に引き出される電力用、通信用等の各種ケーブル類Ｃを集約して支柱Ｐ面に沿って配線固定すべく成すものとしたからであり、これにより、支柱Ｐ周辺における一定の場所での各種のケーブル類Ｃの一括した管理を行うことができる。そればかりでなく、一本の集約化された立上り管部材１に複数の自在管Ｆを接続できることで、自在管Ｆそれぞれをケーブル敷設業者・通信業者等がそれぞれで個別に使用でき、それらの個々の管理をも容易にするのである。しかも例えばマンホールその他からの各種のケーブル類Ｃを需要家に対応して増加させるとした場合等に、支柱Ｐそれぞれに配線固定させることで自在管Ｆを介して引き出し布設させるとき、支柱Ｐに既存の立上り管部材１が布設されていれば、その既存の１本の立上り管部材１に継手手段Ｑによって複数の自在管Ｆを接続固定でき、従来のように需要家から離れた位置の支柱Ｐに立上げて引き出し配線する必要がなく、ケーブル類Ｃの不要な無駄な引き回し配線をしなくて済む利点がある。
【００２２】
また、各種ケーブル類Ｃは、立上り配線管路を形成すべく支柱Ｐ面に固定された配線保護用の立上り管部材１に対し、自在管Ｆである個々の複数の金属製可撓管を纏めて接続可能とする継手手段Ｑを介してそれぞれ配線されるので、従来のように、個々の自在管Ｆそれぞれに対応した個別の立上り管部材１を複数にして布設したり、離れた位置にある支柱Ｐに立上り管部材１を布設して引き回し配線したりする必要がなく、ケーブル類の配線施工法における複数のケーブル類Ｃを集約して収容する一本の立上り管部材１によって一本化した状態とすることで十分に対応可能となる。
【００２３】
自在管Ｆは、当該自在管Ｆにねじ込み嵌着される筒状のブッシング７を介して継手手段Ｑに接続固定されるので、継手手段Ｑに対しての自在管Ｆの取り付けまたは取り外しが容易にでき、しかも継手手段Ｑからの自在管Ｆの抜け出しを確実に阻止できる。
【００２４】
また具体的な構成として、配設された支柱Ｐ面にこの支柱Ｐの高さ方向に沿って配線固定されるケーブル類Ｃを収納保護する配線管路を形成するものであって、支柱Ｐに対応して地上に引き出される電力用、通信用等の各種ケーブル類Ｃがそれぞれ挿通されている複数の自在管Ｆを筒状のブッシング７を介してそれぞれ接続可能とする継手手段Ｑと、立上り配線管路を形成すべく支柱Ｐ面に固定され、各種ケーブル類Ｃを集約して支柱Ｐ面に沿って配設固定すべく前記継手手段Ｑを接続可能とした立上り管部材１とを備えて成るので、支柱Ｐ周辺の見栄えを損なうことの無いケーブル類Ｃの立上り配線保護管路装置自体を容易且つ施工性良く製作することができる。
【００２５】
また継手手段Ｑは、立上り管部材１の下端開口部内に嵌挿される上側円筒部４Ａ、上側円筒部４Ａから下方に行くに従って周面一端側を径方向へ膨出して略ラッパ状に拡開して成る下側円筒部４Ｂそれぞれから成るカバー体４と、屈曲自在な複数の自在管Ｆそれぞれを個別に連通配置させ、前記ブッシング７のねじ込みによって当該自在管Ｆを固定可能にした複数の孔部５Ａを開穿形成し且つカバー体４の下端開口部に閉塞固定されるものとした蓋部５とから成るので、立上り管部材１に対する継手手段Ｑを介しての複数の自在管Ｆに収容した各種ケーブル類Ｃの集約した配線作業を能率的に行うことができる。
【図面の簡単な説明】
【図１】本発明の一実施の形態における使用状態の一部切欠側面図である。
【図２】同じく継手手段の組立状態の一部切欠分解斜視図である。
【図３】同じく継手手段による接続状態の一部切欠分解断面図である。
【図４】同じく継手手段による接続状態の一部切欠断面図である。
【図５】同じく継手手段の平面図である。
【図６】同じく継手手段の底面図である。
【符号の説明】
Ｃ…ケーブル類                      Ｆ…自在管
Ｐ…支柱                            Ｑ…継手手段
Ｇ…地面
１…立上り管部材                    ２…固定バンド
３…防水キャップ                    ３Ａ…嵌合部
３Ｂ…蓋部                          ３Ｃ…嵌入溝
４…カバー体                        ４Ａ…上側円筒部
４Ｂ…下側円筒部                    ５…蓋部
５Ａ…孔部                          ５Ｂ…ボルト挿入孔
６…ナット                          ７…ブッシング
７Ａ…係止用フランジ部              ７Ｂ…係合用雄ネジ部
７Ｃ…窪み部                        ８…取付ボルト
９…固定枠部                        １０…埋設導管
１１…異種管継手
【図１】
2004236434.tif 000003
【図２】
2004236434.tif 000004
【図３】
2004236434.tif 000005
【図４】
2004236434.tif 000006
【図５】
2004236434.tif 000007
【図６】
2004236434.tif 000008